(57)【要約】      （修正有）【課題】使用者の体格に影響されることなく、細かい物質が浸入して衣服に付着するのを抑制すると共に、容易に着衣することができ、さらに、正面部分に触れることなく容易に脱衣及び廃棄をすることができる簡易防護服を提供する。【解決手段】簡易防護服１は、本体正面部１０と本体背面部２０のそれぞれ端部が一体に構成された軟質プラスチックフィルムからなり、本体正面部１０と本体背面部２０の間に、人体の頭部が通らない程度の大きさの頭部開口部３１と、手のこぶしが通らない程度の大きさの両手用の袖口部３２と、頭部から胴体が入る程度の大きさの下部開口部３３が形成されており、本体背面部２０は、中心軸上において、上部に形成された切込み部２１と、切込み部２１に連続して形成された上部ミシン目部２２と、下部に形成された下部ミシン目部２４と、を有する。【選択図】図１
0003231374.tif 000002
【実用新案登録請求の範囲】
【請求項１】
本体正面部と本体背面部のそれぞれ端部が一体に構成された軟質プラスチックフィルムからなる簡易防護服であって、
前記本体正面部と前記本体背面部の間に、人体の頭部が通らない程度の大きさの頭部開口部と、手のこぶしが通らない程度の大きさの両手用の袖口部と、頭部から胴体が入る程度の大きさの下部開口部が形成され、
前記本体背面部は、中心軸上において、上部に形成された切込み部と、前記切込み部に連続して形成された上部ミシン目部と、下部に形成された下部ミシン目部と、を有する
簡易防護服。
【請求項２】
前記本体背面部は、中心軸上において、前記上部ミシン目部と前記下部ミシン目部との間に形成された中部ミシン目部をさらに有する
請求項１に記載の簡易防護服。
【考案の詳細な説明】
【技術分野】
【０００１】
本考案は、簡易防護服に関する。
【背景技術】
【０００２】
従来、介護者を湯等の滲入による汚染の危険性から保護する介護者用エプロンが開示されている（特許文献１参照）。
【０００３】
特許文献１の介護者用エプロンは、特許文献１の図１に示すように、介護者用エプロン１の左右両サイド中央部近傍の位置に係止部１０を設けた身頃６の左右両サイド上部に、手袋部５ｂと袖部５ａを一体とした袖５を設けている。そして、手袋部５ｂを一体とした袖５のそれぞれの袖頭４から後方側に該袖５と連続する帯８を設けるとともに、それぞれの帯８の先端に係止片９を設けている。
【先行技術文献】
【特許文献】
【０００４】
【特許文献１】特開２００４−２２５２０２号公報
【考案の概要】
【考案が解決しようとする課題】
【０００５】
特許文献１の介護者用エプロンでは、帯８を設ける位置が変わると、襟ぐり幅２ａも変化する。そこで、襟ぐり２から汚物が入るのを防止する場合、帯８を設ける位置を肩山３に近づける必要がある。
【０００６】
しかし、介護者の体格は人それぞれに異なる。このため、襟ぐり２から汚物が浸入するのを防止するために最適な帯８の位置は、介護者の体格によって異なるため、一意に決めることができない。すなわち、特許文献１の介護者用エプロンでは、体格の異なる様々な介護者に対して、襟ぐり２から汚物が浸入するのを防止できず、衣服に汚物が付着してしまう問題があった。
【０００７】
本考案は、このような実情を鑑みて提案されたものであり、使用者の体格に影響されることなく、細かい物質が浸入して衣服に付着するのを抑制することができる簡易防護服を提供することを目的とする。
【課題を解決するための手段】
【０００８】
本発明に係る考案は、本体正面部と本体背面部のそれぞれ端部が一体に構成された軟質プラスチックフィルムからなる簡易防護服であって、前記本体正面部と前記本体背面部の間に、人体の頭部が通らない程度の大きさの頭部開口部と、手のこぶしが通らない程度の大きさの両手用の袖口部と、頭部から胴体が入る程度の大きさの下部開口部が形成され、前記本体背面部は、中心軸上において、上部に形成された切込み部と、前記切込み部に連続して形成された上部ミシン目部と、下部に形成された下部ミシン目部と、を有する。
【考案の効果】
【０００９】
本考案に係る簡易防護服は、容易に着衣することができ、使用者の体格に影響されることなく細かい物質が衣服に付着するのを抑制することができ、さらに、容易に脱衣及び廃棄をすることができる。特に、本考案に係る簡易防護服は、軟質プラスチックフィルムの特性を活かして、襟ぐり部は頭部が通らない程度に、袖口は手が通らない程度に、着用者のサイズに合わせて広がることにより、必要以上の隙間が生まれない。
【図面の簡単な説明】
【００１０】
【図１】簡易防護服の（ａ）正面図及び（ｂ）背面図である。
【図２】簡易防護服から手を出すときの手順（ａ）〜（ｃ）を示す説明図である。
【図３】簡易防護服から頭部を出すときの手順（ａ）〜（ｅ）を示す説明図である。
【図４】簡易防護服の脱衣手順（ａ）〜（ｆ）を示す説明図である。
【考案を実施するための形態】
【００１１】
以下、本考案について、図面を参照しながら詳細に説明する。なお、以下で説明する長さ（数値）は、本実施形態の一例に過ぎず、特に限定される値ではない。
【００１２】
［構成］
図１は、本考案の実施形態に係る簡易防護服１の（ａ）正面図及び（ｂ）背面図である。簡易防護服１は、プルオーバーの形態で構成されており、着衣時に使用者の正面側に配置される本体正面部１０と、着衣時に使用者の背面側に配置される本体背面部２０と、を備えている。
【００１３】
本体正面部１０及び本体背面部２０は、軟質プラスチックフィルムで構成されている。この軟質プラスチックフィルムには、静電防止剤が配合されており、さらにエンボス加工が施されている。このため、静電気による粉塵・髪の毛の付着が少なく、肌に貼りつきにくい性質がある。本体正面部１０及び本体背面部２０の端部（縁）は、頭部開口部３１、両手用のそれぞれの袖口部３２、下部開口部３３を除き、一体に構成されている。本体正面部１０及び本体背面部２０は、上記のように一体に構成されることで、両袖部と胴体部を有するプルオーバーの形態になる。
【００１４】
頭部開口部３１の長さ（平面時）は、開口時に人体の頭部が通らない程度の値になっており、例えば、１５〜２０ｃｍである。袖口部３２の長さ（平面時）は、開口時に手の指先が通るものの、こぶしが通らない程度の値になっており、例えば、５〜８ｃｍである。下部開口部３３の長さ（平面時）は、開口時に頭部から胴体がすんなり入る程度の値になっており、例えば、６０〜７０cmである。
【００１５】
本体背面部２０の上端側（頭部開口部３１）の中央部には、切込み部２１が形成されている。すなわち、切込み部２１は、本体背面部２０の中心軸上に配置されている。
【００１６】
本体背面部２０の中心軸上には、上部ミシン目部２２、中部ミシン目部２３、下部ミシン目部２４が形成されている。上部ミシン目部２２は、切込み部２１に連続するように形成されている。このため、頭部開口部３１に使用者の頭部が入ると、頭部の大きさに応じて、切込み部２１の中心が裂けて上部ミシン目部２２が広がりやすくなっている。
【００１７】
下部ミシン目部２４は、下部開口部３３から頭部開口部３１に向かって形成されている。中部ミシン目部２３は、上部ミシン目部２２と下部ミシン目部２４との間に形成されている。但し、中部ミシン目部２３は、上部ミシン目部２２と連続しておらず、かつ、下部ミシン目部２４とも連続していない。つまり、上部ミシン目部２２、中部ミシン目部２３、下部ミシン目部２４は、それぞれ独立したミシン目である。
【００１８】
本体背面部２０の中心軸上にミシン目が連続していない理由は、本体背面部２０がミシン目のない位置で裂けるのを防止するためである。例えば、使用者が誤って力を入れ過ぎて上部ミシン目部２２を裂いた場合、その裂け目は、ミシン目のない部分（上部ミシン目部２２と中部ミシン目部２３の間）で止まる。このため、首周りが必要以上に大きくなることを抑制できる。
【００１９】
また例えば、使用者が誤って力を入れ過ぎて下部ミシン目部２４を裂いた場合、その裂け目（背中側のスリット）は、ミシン目のない部分（中部ミシン目部２３と下部ミシン目部２４の間）で止まる。このため、背中側のスリットが必要以上に大きくなることを抑制することができる。
【００２０】
［着衣］
つぎに、簡易防護服１の着衣手順について説明する。
図２は、簡易防護服１から手を出すときの手順（ａ）〜（ｃ）を示す説明図である。
【００２１】
最初に、使用者は、図１の下部開口部３３から手を入れて、指先が袖口部３２に到達するまで手を入れる（図２（ａ））。そして、袖口部３２から指先を出すと、手のサイズに合わせて袖口部３２の径が徐々に広がる（図２（ｂ））。最後に、手首から先の部分を袖口部３２から露出させる。このような作業を両手について行う。
【００２２】
したがって、使用者は、手及び手首の大きさに合わせて、袖口部３２の開口サイズを自然に広げることができる。この結果、手首周りの隙間を必要最小限にすることができ、手首周りから細かい物質が侵入すること、及びその物質が衣服に付着することを抑制することができる。
【００２３】
図３は、簡易防護服１から頭部を出すときの手順（ａ）〜（ｅ）を示す説明図である。
最初に、使用者は、両手で頭部開口部３１を持ち（図３（ａ））、図１の下部開口部３３から頭部開口部３１に到達するまで頭部を入れる。次に、頭部開口部３１から頭部を出すと、頭部開口部３１の径が頭のサイズに合わせて自然に広がる（図３（ｂ））。
【００２４】
このとき、本体背面部２０では、頭部が徐々に外部に露出するに従って、上部ミシン目部２２が上方から下方に向かって裂ける（図３（ｃ））。そして、首から上の頭部がすべて外部に露出した時点で、上部ミシン目部２２が裂けなくなり、頭部への着衣が終了する（図３（ｄ）及び図３（ｅ））。
【００２５】
以上のように、使用者は、自身の頭部の大きさに合わせて、背面側の上部ミシン目部２２の裂け目の長さ、すなわち頭部開口部３１の開口サイズを広げることができる。この結果、頭部の大きさに応じて背面側の首周り（襟ぐり）が広がるものの、正面側の首回りの隙間を必要最小限にすることができる。この結果、首周りから細かい物質が侵入するのを抑制することができる。また、自身の頭部の大きさに合わせて、上部ミシン目部２２の裂け目の長さが決まるので、必要以上に頭部開口部３１が開かないようになっている。
【００２６】
仮に、使用者が誤って大きな力を入れて上部ミシン目部２２を裂いた場合であっても、その裂け目はミシン目のない部分で止まる。よって、首周りが大きすぎることを回避できる。
【００２７】
なお、使用者は、必要であれば、本体背面部２０の下部ミシン目部２４を裂いてもよい。この場合、下部ミシン目部２４の裂け目（スリット）は、使用者の両足が動きやすいように、任意の長さでよい。がまた、下部ミシン目部２４の裂け目は任意の長さでよいので、スリットが必要以上に大きくなることもない。
【００２８】
［脱衣］
つぎに、簡易防護服１の脱衣手順について説明する。
図４は、簡易防護服１の脱衣手順（ａ）〜（ｆ）を示す説明図である。
【００２９】
最初に、使用者は、両手を背中側に回して、本体背面部２０の中部ミシン目部２３より右側部分を右手でつかみ、中部ミシン目部２３より左側部分を左手でつかむ（図４（ａ））。次に、そのまま両手でつかみながら両外側に引っ張り、中部ミシン目部２３を裂く（図４（ｂ））。そして、両手を両外側に更に引っ張って、上部ミシン目部２２と中部ミシン目部２３の間、中部ミシン目部２３と下部ミシン目部２４の間も裂いて、本体背面部２０を中心軸上において完全に裂く（図４（ｃ））。
【００３０】
さらに、両手を袖内部に戻しながら、肩をすぼめることで、本体正面部１０が前方側にずり落ちるようにする（図４（ｄ））。その後、袖を通したまま両手で、表面が内側に来るように巻き付け（図４（ｅ））、最後に両手を袖から抜いて小さくまとめる（図４（ｆ））。
【００３１】
以上のように、使用者は、簡易防護服１の正面に触れることなく、簡単な作業だけで、簡易防護服１を脱ぐことができる。これにより、使用者は、簡易防護服１の汚れの激しい部分を触ることなく、脱衣することができる。また、簡易防護服１は、均一な軟質プラスチックフィルムによって構成されていることから、リサイクル可能である。
【符号の説明】
【００３２】
１  簡易防護服
１０  本体正面部
２０  本体背面部
２１  切込み部
２２  上部ミシン目部
２３  中部ミシン目部
２４  下部ミシン目部
３１  頭部開口部
３２  袖口部
３３  下部開口部
【図１】
0003231374.tif 000003
【図２】
0003231374.tif 000004
【図３】
0003231374.tif 000005
【図４】
0003231374.tif 000006